(57)【要約】【課題】端末が基地局切替の際に高速に基地局切替を実現する。【解決手段】端末１１が基地局２１からのフレームを受信し、その受信フレームの信号レベルが閾値以下であると、基地局２１に対してＡＣＫを返信せずに、基地局２２に対して基地局切替要求のリアソシエーション要求を送信する。端末１１は基地局２１に対してＡＣＫの返信を行わないので、他の装置が送信するフレームに対して優先的にリアソシエーション要求を送信することができる。これにより、他の装置がフレームを送受信する間に余分に待たされることや、リアソシエーション要求が他のフレームと衝突することなく、リアソシエーション要求を送信できるので、高速に基地局切替することが可能となる。【選択図】図１
2005311828.tif 000002
【特許請求の範囲】
【請求項１】
端末から１つの基地局に対して接続要求を行い前記基地局と接続し、接続した前記基地局または前記基地局を介してデータの送受信を行う通信システムであって、
前記基地局と前記端末の間では一方からのデータ送信後に、他方からのＡＣＫを受信することでデータの送信を終了する際において、
前記端末が前記基地局からのデータ受信後に接続する基地局を変更する際には、
接続している前記基地局にＡＣＫを送信せずに、接続を変更したい基地局に接続要求を行うことを特徴とする通信システム。
【請求項２】
端末が基地局からのデータ受信後に接続する基地局を変更する際には、
ＡＣＫと接続要求を同一のフレームで送信し、
現在接続している基地局と接続を変更している基地局の双方が受信することを特徴とする通信システム。
【請求項３】
端末が基地局からのデータ受信後に接続する基地局を変更する際には、
前記端末がＡＣＫを現在接続している基地局に送信し、
その後、続けて接続を変更したい基地局に接続要求を送信することを特徴とする通信システム。
【請求項４】
前記基地局と前記端末間でのデータの送受信は、
ＩＥＥＥ８０２．１１にて定義される方法であり、
基地局を変更する際の端末の動作を、
変更することを特徴とした請求項１から３のいずれか１項に記載の通信システム。
【発明の詳細な説明】
【技術分野】
【０００１】
本発明は、無線通信が可能な端末において接続する基地局を変更（ハンドオフ）する際に、高速に基地局切替を実現するための基地局切替方式及び端末に関するものである。特にＩＥＥＥ８０２．１１準拠の無線ＬＡＮ装置における基地局切替方式及び端末に関するものである。
【背景技術】
【０００２】
従来、端末が接続する基地局を変更する場合には、端末は現在接続している基地局から受信している信号レベルが、閾値以下と判断することで行っていた。この基地局の切替により、端末が基地局に接続しているネットワーク上にあるサーバとの通信を行いながら移動する際に、端末は接続する基地局を変更することにより継続してサーバとの通信を行うことができる。
【０００３】
基地局切替を確実に行う方法としては、例えば特許文献１があった。特許文献１に記載された基地局切替方式では、ＴＤＭＡを用いて通信を行っている基地局と端末が決められた時間において確実に基地局切替を行うことで、結果として高速に基地局切替ができるように構成されている。
【特許文献１】特開平４−１８５０２６号公報
【発明の開示】
【発明が解決しようとする課題】
【０００４】
しかしながら、無線ＬＡＮのようなＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）方式を用いた場合には、決められた時間においてデータを送信するのではなく、一定時間以上継続して空いていることを確認してからデータを送信する方式であり、この待ち時間は最小限の時間にランダムな長さの待ち時間を加えたものである。そのために、端末が基地局切替を開始するためのフレームを送信しようとしてもすぐにフレームを送信できない場合があるといった課題があった。また、端末が基地局切替開始の要求フレームを送信しても、そのフレームが他の装置が送信するフレームと衝突してしまうことがある、といった課題があった。
【０００５】
例として、ＩＥＥＥ８０２．１１準拠の無線ＬＡＮの場合を説明する。図１は、ネットワーク構成のブロック図である。基地局２１と基地局２２は有線と無線の２つのインターフェースを持っている。この例では、有線はＥｔｈｅｒｎｅｔ（Ｒ）を用いた有線ＬＡＮで接続され、無線はＩＥＥＥ８０２．１１準拠の無線ＬＡＮで接続されているとする。基地局２１と基地局２２とサーバ４１は有線ＬＡＮで接続され、相互にデータの送受信が可能であるとする。また、基地局２１がカバーする無線エリア３１内では、基地局２１と端末１１は無線ＬＡＮを用いてデータの送受信ができる。同様に基地局２２がカバーする無線エリア３２内では、基地局２２と端末１１は無線ＬＡＮを用いてデータの送受信ができる。
【０００６】
サーバ４１と端末１１の間で、データの送受信はＴＣＰ／ＩＰを用いて行うものとし、端末１１のＩＰアドレスをＩＰアドレス１１０とする。
【０００７】
基地局２１はブリッジとして動作するために、基地局２１と端末１１の間で、データはＩＥＥＥ８０２．１１準拠のＭＡＣフレームにより送受信される。基地局２１から端末１１にデータを送信するに際には、基地局２１から端末１１にＭＡＣフレームによりデータを送信し、端末１１から基地局２１にＡＣＫフレームを送信することで、基地局２１と端末１１の間でのデータの送信を完了する。
【０００８】
図２は端末１１のブロック図である。端末１１は送受信部５１、受信レベル判定部５２、記憶部５３から構成される。図３は基地局のブロック図である。基地局２１は無線送受信部６１と有線送受信部６２、データ保存部６３から構成される。同様に基地局２２は無線送受信部７１と有線送受信部７２、データ保存部７３から構成される。
【０００９】
端末１１は無線エリア３１において基地局２１と接続している。サーバ４１から一定間隔で、端末１１にデータの送信を行う際には、サーバは端末のＩＰアドレス１１０対してデータを送信する。基地局２１は無線エリア３１内にＩＰアドレスが１１０の端末１１が所属しているので、このデータを有線送受信部６２により受信し、データ保存部６３に保存する。無線送受信部６１はデータ保存部６３に、無線エリア３１に所属する端末１１宛のあて先ＩＰアドレスが１１０のデータが保存されていると、無線送受信部６１を用いて、端末１１に対してデータをＭＡＣフレームにのせて送信する。
【００１０】
端末１１は、基地局２１が無線側へ送信したあて先ＩＰアドレスが１１０のＭＡＣフレームを受信することができる。端末１１は基地局２１から自端末宛のＭＡＣフレームを正常に受信すると、基地局２１に対してＡＣＫを返信する。基地局２１では、端末１１からのＡＣＫを受信するとＭＡＣフレームが、端末１１に対して送信されたと判断しデータ保存部６３から、正常に送信できたデータを消去する。
【００１１】
基地局２１は、さらにデータ保存部６３に、あて先ＩＰアドレスが１１０であるデータがあれば、ＭＡＣフレームにのせて端末１１に送信する。
【００１２】
サーバ４１が一定間隔でパケットを端末１１に送信している最中に、端末１１は無線エリア３１から、無線エリア３１と無線エリア３２の重なった無線エリア３３に移動した場合にも、基地局２１は端末１１にデータ１２１を送信する。
【００１３】
端末１１の送受信部５１が基地局２１から、データ１２１を受信すると受信レベル判定部が受信の電力レベルが閾値以下の場合には、基地局の切替を実施するのかの判定を行う。端末１１はハンドオフ判定の際に、記憶部５３に登録されている基地局情報から基地局切替可能な基地局があれば基地局の切替を行う。
【００１４】
基地局切替可能な基地局の情報は、基地局が一定間隔毎に自無線エリアに送信する同報信号（ビーコン）を端末１１が受信し利用してもよい。また、端末１１は一定間隔毎に基地局に対する問い合わせ（プローブリクエスト）を行い、プローブリクエストを受信した基地局からの返信（プローブレスポンス）により、端末１１が接続可能な基地局の情報を収集してもよい。
【００１５】
端末１１は基地局切替実施の際には、図４のように基地局２１にデータ１２１に対するＡＣＫ１３１を返信する。基地局２１は端末１１からＡＣＫ１３１を受信すると、端末１１に対してデータ１２１が正常に送信できたと判断する。端末１１は、ランダム時間２０１が過ぎた後に基地局２２に対してリアソシエーション要求１４１を送信し、基地局切替を開始する。
【００１６】
しかしながら従来例では、ランダム時間２０１の後に確実に、基地局２２に対してリアソシエーション要求１３１を送信できる保証がなかった。
【００１７】
例えば図５のように、ランダム時間２０１経過後に、端末１１がリアソシエーション要求１４１の送信をする前に、基地局２１が端末１１に対してデータ１２２を送信することがあった。この場合には、端末１１はデータ１２２を受信しＡＣＫ１３２を基地局２１に送信した後に、ランダム時間２０２経過するのを待ってリアソシエーション要求１４１を送信する必要があった。
【００１８】
また図６のように、ランダム時間２０１経過後に、端末１１と基地局２１が同時に送信を始め、端末１１のリアソシエーション要求１４１と基地局２１のデータ１２２が衝突することがあった。この場合には、端末は、ランダム時間２０２が経過した後に、再度リアソシエーション要求１４１を送信する必要があった。
【００１９】
このように従来の方法では、受信レベルが閾値以下になり、ハンドオフを開始しようとしても、すぐには開始できない場合があるという課題を有していた。
【課題を解決するための手段】
【００２０】
前記従来の課題を解決するために、請求項１記載の発明は、端末から１つの基地局に対して接続要求を行い前記基地局と接続し、接続した前記基地局または前記基地局を介してデータの送受信を行う通信システムであって、前記基地局と前記端末の間では一方からのデータ送信後に、他方からのＡＣＫを受信することでデータの送信を終了する際において、前記端末が前記基地局からのデータ受信後に接続する基地局を変更する際には、接続している前記基地局にＡＣＫを送信せずに、接続を変更したい基地局に接続要求を行うことを特徴とするものである。
【００２１】
また、請求項２記載の発明は、端末が基地局からのデータ受信後に接続する基地局を変更する際には、ＡＣＫと接続要求を同一のフレームで送信し、現在接続している基地局と接続を変更している基地局の双方が受信することを特徴とするものである。
【００２２】
また、請求項３記載の発明は、端末が基地局からのデータ受信後に接続する基地局を変更する際には、前記端末がＡＣＫを現在接続している基地局に送信し、その後、続けて接続を変更したい基地局に接続要求を送信することを特徴とするものである。
【００２３】
また、請求項４記載の発明は、請求項１から請求項３のいずれか１項に記載の通信制御方式において、前記基地局と前記端末間でのデータの送受信は、ＩＥＥＥ８０２．１１にて定義される方法であり、基地局を変更する際の端末の動作を、変更することを特徴とするものである。
【発明の効果】
【００２４】
本発明の通信システムによれば、受信フレームの信号レベルが閾値以下であると、すぐに基地局切替要求のリアソシエーション要求を送信するので、他の装置が送信するフレームに対して優先的にリアソシエーション要求を送信することができる。これにより、他の装置がフレームを送受信する間に余分に待たされることや、リアソシエーション要求が他のフレームと衝突することなく、確実にリアソシエーション要求を送信できるので、この結果、高速に基地局切替を行うことが可能となる。
【発明を実施するための最良の形態】
【００２５】
以下、本発明の実施の形態について、図面を参照しながら説明する。
【００２６】
（実施の形態１）
図１を参照して本発明における第１の実施の形態の基地局切替方式及び端末のネットワーク構成について説明する。図１は、ネットワーク構成の概念を示すブロック図である。
【００２７】
基地局２１と基地局２２は有線と無線の２つのインターフェースを持っている。この例では、有線はＥｔｈｅｒｎｅｔ（Ｒ）を用いた有線ＬＡＮで接続され、無線はＩＥＥＥ８０２．１１準拠の無線ＬＡＮで接続されているとする。基地局２１と基地局２２とサーバ４１は有線ＬＡＮで接続され、相互にデータの送受信が可能であるとする。また、基地局２１がカバーする無線エリア３１内では、基地局２１と端末１１は無線ＬＡＮを用いてデータの送受信ができる。同様に基地局２２がカバーする無線エリア３２内では、基地局２２と端末１１は無線ＬＡＮを用いてデータの送受信ができる。
【００２８】
サーバ４１と端末１１の間で、データの送受信はＴＣＰ／ＩＰを用いて行うものとし、端末１１のＩＰアドレスをＩＰアドレス１１０とする。
【００２９】
基地局２１はブリッジとして動作するために、基地局２１と端末１１の間で、データはＩＥＥＥ８０２．１１準拠のＭＡＣフレームにより送受信される。基地局２１から端末１１にデータを送信するに際には、基地局２１から端末１１にＭＡＣフレームによりデータを送信し、端末１１から基地局２１にＡＣＫフレームを送信することで、基地局２１と端末１１の間でのデータの送信を完了する。
【００３０】
図２は端末１１のブロック図である。端末１１は送受信部５１、受信レベル判定部５２、記憶部５３から構成される。図３は基地局のブロック図である。基地局２１は無線送受信部６１と有線送受信部６２、データ保存部６３から構成される。同様に基地局２２は無線送受信部７１と有線送受信部７２、データ保存部７３から構成される。
【００３１】
端末１１は無線エリア３１において基地局２１と接続している。サーバ４１から一定間隔で、端末１１にデータの送信を行う際には、サーバは端末のＩＰアドレス１１０対してデータを送信する。基地局２１は無線エリア３１内にＩＰアドレスが１１０の端末１１が所属しているので、このデータを有線送受信部６２により受信し、データ保存部６３に保存する。無線送受信部６１はデータ保存部６３に、無線エリア３１に所属する端末１１宛のあて先ＩＰアドレスが１１０のデータが保存されていると、無線送受信部６１を用いて、端末１１に対してデータをＭＡＣフレームにのせて送信する。
【００３２】
端末１１は、基地局２１が無線側へ送信したあて先ＩＰアドレスが１１０のＭＡＣフレームを受信することができる。端末１１は基地局２１から自端末宛のＭＡＣフレームを正常に受信すると、基地局２１に対してＡＣＫを返信する。基地局２１では、端末１１からのＡＣＫを受信するとＭＡＣフレームが、端末１１に対して送信されたと判断しデータ保存部６３から、正常に送信できたデータを消去する。
【００３３】
基地局２１は、さらにデータ保存部６３に、あて先ＩＰアドレスが１１０であるデータがあれば、ＭＡＣフレームにのせて端末１１に送信する。
【００３４】
次に図８を用いて基地局切替時の端末１１の動作について説明する。図８は本実施の形態１の端末１１におけるフロー図である。
【００３５】
サーバ４１が一定間隔でパケットを端末１１に送信している最中に、端末１１は無線エリア３１から、無線エリア３１と無線エリア３２の重なった無線エリア３３に移動した場合にも、基地局２１は端末１１にデータ１２１を送信する。
【００３６】
端末１１の送受信部５１が基地局２１からデータ１２１を受信する（Ｓ００１）と、受信レベル判定部５２が受信の電力レベルと閾値の比較を行う（Ｓ００２）。このときに、受信レベルが閾値以下でなければ、端末１１は基地局２１にＡＣＫの返信を行う（Ｓ００６）。受信レベルが閾値以下であれば、基地局の切替を実施するのかの判定を行う（Ｓ００３）。
【００３７】
このときに、記憶部５３に基地局切替可能な基地局の情報がなければ、端末１１は基地局２１にＡＣＫの返信を行う（Ｓ００６）。
【００３８】
基地局切替可能な基地局の情報は、基地局が一定間隔毎に自無線エリアに送信する同報信号（ビーコン）を端末１１が受信し利用してもよい。また、端末１１は一定間隔毎に基地局に対する問い合わせ（プローブリクエスト）を行い、プローブリクエストを受信した基地局からの返信（プローブレスポンス）により、端末１１が接続可能な基地局の情報を収集してもよい。
【００３９】
端末１１の記憶部５３に登録されている基地局情報から、基地局切替可能な基地局があれば、端末１１は基地局切替の際には、基地局２１にデータ１２１に対するＡＣＫ１３１を返信せずに、基地局２２に対してリアソシエーション要求１４１を送信する（Ｓ００４）。
【００４０】
基地局２２は、リアソシエーション要求１４１を受信すると、基地局２２の無線エリア３２内に端末１１が移動してきたことを感知し、端末１１に対して接続を許可する（Ｓ００５）。
【００４１】
本実施の形態の端末１１と基地局２１、基地局２２のデータフロー図を図７に示す。
【００４２】
リアソシエーション要求１４１を受信した基地局２２は、端末１１が以前に接続していた基地局２１に対して、接続先基地局が変更されたことを有線送受信部７２から送信するパケットにより通知してもよい。その場合には、基地局２１の有線送受信部６２は基地局２２から端末１１が所属する基地局が変更されたことを通知されると、データ保存部６３に記憶されていた端末１１宛のデータを有線送受信部６２から基地局２２に対して送信する。基地局２２ではこのデータをデータ保存部７３に保存する。
【００４３】
なお、本実施の形態では端末１１がサーバ４１から一定間隔でデータを受信するとしたが、他にも端末１１が基地局の先にあるサーバからファイルをダウンロードする場合や基地局の先にある端末とＶｏＩＰ等による通信を行う場合にも同様の効果が得られる。また、本実施の形態では有線側のネットワークの形態に依らず実現可能なので、Ｅｔｈｅｒｎｅｔ（Ｒ）以外のネットワークを使用することや、ネットワークの構成に関してルータ、ハブの機器を使用してもよい。
【００４４】
さらに本実施の形態の方法では、基地局と端末にＩＥＥＥ８０２．１１準拠の無線ＬＡＮ装置を用いた場合には、基地局は既存の基地局を使用でき端末はソフトウェアの変更のみで実現できる。
【００４５】
（実施の形態２）
実施の形態２では、端末１１が基地局切替の際に、基地局２２に対するリアソシエーション要求と基地局２１に対するＡＣＫを同一のフレームで送信するものである。
【００４６】
ネットワーク構成の概念を示すブロック図を図１、端末１１のブロック図を図２、基地局２１と基地局２２のブロック図を図３として、同じ構成要素であり同じ符号を用い説明を省略する。
【００４７】
次に図１１を用いて基地局切替時の端末１１の動作について説明する。図１１は本実施の形態２の端末１１におけるフロー図である。
【００４８】
図１１のＳ００１、Ｓ００２、Ｓ００３及びＳ００６は実施の形態１の図８に示した動作と同一であるので説明を省略する。
【００４９】
端末１１の記憶部５３に登録されている基地局情報から、基地局切替可能な基地局があれば、端末１１は基地局切替の際には、基地局２１に対するＡＣＫと基地局２２に対してのリアソシエーション要求とを同一のフレーム（ＡＣＫ＋リアソシエーション要求）１５１で基地局２１と基地局２２に対して送信する（Ｓ０１４）。
【００５０】
この（ＡＣＫ＋リアソシエーション要求）１５１は、例えばＩＥＥＥ８０２．１１準拠の無線ＬＡＮの場合では、ブロードキャストフレームで送信することになる。また、特定のグループに対するマルチキャストフレームを送信できる場合には、マルチキャストフレームを用いて送信してもよい。
【００５１】
（ＡＣＫ＋リアソシエーション要求）１５１を受信した基地局２１は、端末１１からのＡＣＫを受信すると、端末１１に対して送信されたと判断しデータ保存部６３から、正常に送信できたデータを消去する。
【００５２】
（ＡＣＫ＋リアソシエーション要求）１５１を受信した基地局２２（Ｓ０１５）は、基地局２２の無線エリア３２内に端末１１が移動してきたことを感知し、端末１１に対して接続を許可する（Ｓ０１６）。
【００５３】
本実施の形態の端末１１と基地局２１、基地局２２のデータフロー図を図９に示す。
【００５４】
基地局２２は端末１１が以前に接続していた基地局２１に対して、接続先基地局が変更されたことを有線送受信部７２から送信するパケットにより通知してもよい。その場合には、基地局２１の有線送受信部６２は基地局２２から端末１１が所属する基地局が変更されたことを通知されると、データ保存部６３に記憶されていた端末１１宛のデータを有線送受信部６２から基地局２２に対して送信する。基地局２２ではこのデータをデータ保存部７３に保存する。
【００５５】
なお、本実施の形態では端末１１がサーバ４１から一定間隔でデータを受信するとしたが、他にも端末１１が基地局の先にあるサーバからファイルをダウンロードする場合や基地局の先にある端末とＶｏＩＰ等による通信を行う場合にも同様の効果が得られる。また、本実施の形態では有線側のネットワークの形態に依らず実現可能なので、Ｅｔｈｅｒｎｅｔ（Ｒ）以外のネットワークを使用することや、ネットワークの構成に関してルータ、ハブの機器を使用してもよい。
【００５６】
さらに本実施の形態の方法では、基地局と端末にＩＥＥＥ８０２．１１準拠の無線ＬＡＮ装置を用いた場合には、基地局と端末はソフトウェアの変更のみで実現できる。
【００５７】
（実施の形態３）
実施の形態３では、端末１１が基地局切替の際に、基地局２１に対するＡＣＫを送信した後に、ランダム時間待つことなく、基地局２２に対するリアソシエーション要求を送信するものである。
【００５８】
ネットワーク構成の概念を示すブロック図を図１、端末１１のブロック図を図２、基地局２１と基地局２２のブロック図を図３として、同じ構成要素であり同じ符号を用い説明を省略する。
【００５９】
次に図１２を用いて基地局切替時の端末１１の動作について説明する。図１２は本実施の形態３の端末１１におけるフロー図である。
【００６０】
図１２のＳ００１、Ｓ００２、Ｓ００３及びＳ００６は実施の形態１の図８に示した動作と同一であるので説明を省略する。
【００６１】
端末１１の記憶部５３に登録されている基地局情報から、基地局切替可能な基地局があれば、端末１１は基地局切替の際には、基地局２１に対してＡＣＫ１３１を送信し（Ｓ０２４）、その後ランダム時間を待たずに基地局２２に対してリアソシエーション要求１４１を送信する（Ｓ０２５）。
【００６２】
リアソシエーション要求１４１を受信した基地局２２（Ｓ０２６）は、基地局２２の無線エリア３２内に端末１１が移動してきたことを感知し、端末１１に対して接続を許可する（Ｓ０２７）。
【００６３】
本実施の形態の端末１１と基地局２１、基地局２２のデータフロー図を図１０に示す。
【００６４】
基地局２２は端末１１が以前に接続していた基地局２１に対して、接続先基地局が変更されたことを有線送受信部７２から送信するパケットにより通知してもよい。その場合には、基地局２１の有線送受信部６２は基地局２２から端末１１が所属する基地局が変更されたことを通知されると、データ保存部６３に記憶されていた端末１１宛のデータを有線送受信部６２から基地局２２に対して送信する。基地局２２ではこのデータをデータ保存部７３に保存する。
【００６５】
なお、本実施の形態では端末１１がサーバ４１から一定間隔でデータを受信するとしたが、他にも端末１１が基地局の先にあるサーバからファイルをダウンロードする場合や基地局の先にある端末とＶｏＩＰ等による通信を行う場合にも同様の効果が得られる。また、本実施の形態では有線側のネットワークの形態に依らず実現可能なので、Ｅｔｈｅｒｎｅｔ（Ｒ）以外のネットワークを使用することや、ネットワークの構成に関してルータ、ハブの機器を使用してもよい。
【００６６】
さらに本実施の形態の方法では、基地局と端末にＩＥＥＥ８０２．１１準拠の無線ＬＡＮ装置を用いた場合には、基地局は既存の基地局を使用でき端末はソフトウェアの変更のみで実現できる。
【産業上の利用可能性】
【００６７】
本発明にかかる基地局切替方式及び端末は、ＩＥＥＥ８０２．１１準拠の無線ＬＡＮにおいて端末が基地局を高速に切替える際に有用である。特に端末、基地局における既存無線ＬＡＮ装置のハードウェアを変更することなく、端末側と必要に応じて基地局側のソフトウェアの変更のみで対応可能である点も有用である。
【図面の簡単な説明】
【００６８】
【図１】本発明の実施の形態１におけるネットワーク構成のブロック図
【図２】本発明の実施の形態１における端末１１のブロック図
【図３】本発明の実施の形態１における基地局２１と基地局２２のブロック図
【図４】従来の基地局切替におけるのデータフローチャート
【図５】従来の基地局切替で基地局２１が先に送信を開始する場合のデータフローチャート
【図６】従来の基地局切替で衝突が起きる場合のデータフローチャート
【図７】本発明の実施の形態１におけるデータフローチャート
【図８】本発明の実施の形態１における端末１１のフローチャート
【図９】本発明の実施の形態２におけるデータフローチャート
【図１０】本発明の実施の形態３におけるデータフローチャート
【図１１】本発明の実施の形態２における端末１１のフローチャート
【図１２】本発明の実施の形態３における端末１１のフローチャート
【符号の説明】
【００６９】
１１    端末
２１    基地局
２２    基地局
３１    基地局２１の無線エリア
３２    基地局２２の無線エリア
３３    基地局２１と基地局２２の無線エリア
４１    サーバ
５１    端末１１の送受信部
５２    端末１１の受信レベル判定部
５３    端末１１の記憶部
６１    基地局２１の無線送受信部
６２    基地局２１の有線送受信部
６３    基地局２１のデータ保存部
７１    基地局２２の無線送受信部
７２    基地局２２の有線送受信部
７３    基地局２２のデータ保存部
１２１    データ
１２２    データ
１３１    データ１２１に対するＡＣＫ
１３２    データ１２２に対するＡＣＫ
１４１    リアソシエーション要求
１５１    ＡＣＫ＋リアソシエーション要求
２０１    ランダム時間
２０２    ランダム時間
【図１】
2005311828.tif 000003
【図２】
2005311828.tif 000004
【図３】
2005311828.tif 000005
【図４】
2005311828.tif 000006
【図５】
2005311828.tif 000007
【図６】
2005311828.tif 000008
【図７】
2005311828.tif 000009
【図８】
2005311828.tif 000010
【図９】
2005311828.tif 000011
【図１０】
2005311828.tif 000012
【図１１】
2005311828.tif 000013
【図１２】
2005311828.tif 000014